(57)【要約】【課題】簡潔な構成で複数の二次側コイルの出力電圧を安定化するスイッチング電源回路および放送受信装置を提供する。【解決手段】可飽和リアクトル２３は、流れる電流値が小さい場合、リアクタンスを生じて、非検出ライン出力電圧Ｖｏ２に生じる電圧を抑制する。つまり、コイル２０に供給される電力に比べて、非検出ラインに接続された機器の負荷が小さい場合は、非検出ライン出力電圧Ｖｏ２が大きくなりすぎるのを防止する。また、可飽和リアクトル２３を流れる電流値が大きい場合、リアクタンスが生じず、非検出ライン出力電圧Ｖｏ２に生じる電圧を抑制しない。つまり、検出ラインに接続された機器の負荷によって検出ライン出力電圧Ｖｏ１が変動し、検出ライン出力電圧Ｖｏ１を検出したエラーアンプ４０のフィードバック信号によってコイル３２から供給される電力が変動した場合に、非検出ライン出力電圧Ｖｏ２を安定化することができる。【選択図】図３
2009011080.tif 000002
【特許請求の範囲】
【請求項１】
スイッチング素子によりスイッチング制御される一次側コイルと、
トランスを介して前記一次側コイルと結合され、整流回路と、出力負荷に基づいて抵抗値が変化する抵抗体と、平滑回路を接続する非検出ライン二次側コイルと、
前記トランスを介して前記一次側コイルと結合され、整流回路と、平滑回路とを接続する検出ライン二次側コイルと、
前記検出ライン二次側コイルの前記平滑回路の出力電圧を検出するエラーアンプとを有し、
前記一次側コイルは、前記エラーアンプが検出する前記検出ライン二次側コイルの前記平滑回路の出力電圧に基づいて、前記スイッチング素子によりスイッチング制御されることを特徴とするスイッチング電源回路。
【請求項２】
スイッチング素子によりスイッチング制御される一次側コイルと、
トランスを介して前記一次側コイルと結合され、整流回路と、平滑回路とを接続する非検出ライン二次側コイルと、
前記トランスを介して前記一次側コイルと結合され、整流回路と、出力負荷に基づいて抵抗値が変化する抵抗体と、平滑回路を接続する検出ライン二次側コイルと、
前記検出ライン二次側コイルの前記平滑回路の出力電圧を検出するエラーアンプとを有し、
前記一次側コイルは、前記エラーアンプが検出する前記検出ライン二次側コイルの前記平滑回路の出力電圧に基づいて、前記スイッチング素子によりスイッチング制御されることを特徴とするスイッチング電源回路。
【請求項３】
スイッチング素子によりスイッチング制御される一次側コイルと、
トランスを介して前記一次側コイルと結合され、整流回路と、出力負荷に基づいて抵抗値が変化する抵抗体と、平滑回路を接続する非検出ライン二次側コイルと、
前記トランスを介して前記一次側コイルと結合され、整流回路と、出力負荷に基づいて抵抗値が変化する抵抗体と、平滑回路とを接続する検出ライン二次側コイルと、
前記検出ライン二次側コイルの前記平滑回路の出力電圧を検出するエラーアンプとを有し、
前記一次側コイルは、前記エラーアンプが検出する前記検出ライン二次側コイルの前記平滑回路の出力電圧に基づいて、前記スイッチング素子によりスイッチング制御されることを特徴とするスイッチング電源回路。
【請求項４】
前記エラーアンプは、前記スイッチング素子にフィードバック信号を伝搬して、前記一次側コイルをスイッチング制御することを特徴とする請求項１から３のいずれか１項に記載のスイッチング電源回路。
【請求項５】
前記抵抗体は、可飽和リアクトルであることを特徴とする請求項１から３のいずれか１項に記載のスイッチング電源回路
【請求項６】
前記抵抗体は、サーミスタであることを特徴とする請求項１から３のいずれか１項に記載のスイッチング電源回路。
【請求項７】
前記エラーアンプは、後段にフォトカプラを有し、前記フィードバック信号は、前記フォトカプラによって前記一次側コイルと前記非検出ライン二次側コイルおよび前記検出ライン二次側コイルとを絶縁して伝搬することを特徴とする請求項４に記載のスイッチング電源回路。
【請求項８】
前記非検出ライン二次側コイルは、複数よりなることを特徴とする請求項１から３のいずれか１項に記載のスイッチング電源回路。
【請求項９】
放送信号を受信するチューナと、
前記チューナにより受信された信号を表示する表示部と、
スイッチング素子によりスイッチング制御される一次側コイルと、
トランスを介して前記一次側コイルと結合され、整流回路と、出力負荷に基づいて抵抗値が変化する抵抗体と、平滑回路を接続し、前記チューナまたは前記表示部のいずれか一方へ電力を供給する非検出ライン二次側コイルと、
前記トランスを介して前記一次側コイルと結合され、整流回路と、平滑回路とを接続し、前記表示部または前記チューナのいずれか一方へ電力を供給する検出ライン二次側コイルと、
前記検出ライン二次側コイルの前記平滑回路の出力電圧を検出するエラーアンプとを有し、
前記一次側コイルは、前記エラーアンプが検出する前記検出ライン二次側コイルの前記平滑回路の出力電圧に基づいて、前記スイッチング素子によりスイッチング制御されることを特徴とするスイッチング電源回路とを備えたことを特徴とする放送受信装置。
【発明の詳細な説明】
【技術分野】
【０００１】
本発明は、スイッチング電源回路および放送受信装置に関する。
【背景技術】
【０００２】
従来の技術として、可飽和リアクトルを用いて出力電圧を安定化するスイッチング電源回路がある（例えば、特許文献１参照）。
【０００３】
このスイッチング電源回路は、トランスの二次側コイルに可飽和リアクトルと整流回路と平滑回路とを接続し、可飽和リアクトルには、平滑回路の出力電圧に応じて変化するバイアス電流を供給する直流バイアス供給回路を接続する。また、直流バイアス供給回路には、トランスの二次側コイルと可飽和リアクトルとの間から取り出した電力を利用して直流電圧を生成するバイアス電圧生成回路を接続する。
【０００４】
このスイッチング電源回路は、平滑回路の出力電圧が予め定めた電圧より大きい場合、直流バイアス回路から可飽和リアクトルに供給するバイアス電流値を大きくし、可飽和リアクトルを飽和しにくくすることで、可飽和リアクトルの出力側に供給する電力を小さくして、平滑回路の出力電圧を低下させる。また反対に、平滑回路の出力電圧が予め定めた電圧より小さい場合、直流バイアス回路から可飽和リアクトルに供給するバイアス電流値を小さくし、可飽和リアクトルを飽和しやすくすることで、可飽和リアクトルの出力側に供給する電力を大きくし、平滑回路の出力電圧を増加させる。つまり、このスイッチング電源回路は、可飽和リアクトルに対するバイアス電流を調整することで出力電圧の安定化を図ることができる。
【特許文献１】特開２００２−４４９４７号公報
【発明の開示】
【発明が解決しようとする課題】
【０００５】
しかし、従来のスイッチング電源回路によると、可飽和リアクトルを制御するための構成として直流バイアス供給回路およびバイアス電圧生成回路等が必要となり、部品増となる。また、トランスの二次側コイルが複数設置される場合、すべての二次側コイルの出力電圧を安定化するためには、同様の構成が二次側コイルの数だけ必要となり構成が複雑化する。
【０００６】
従って、本発明の目的は、簡潔な構成で複数の二次側コイルの出力電圧を安定化することのできるスイッチング電源回路および放送受信装置を提供することにある。
【課題を解決するための手段】
【０００７】
（１）本発明は上記目的を達成するため、スイッチング素子によりスイッチング制御される一次側コイルと、トランスを介して前記一次側コイルと結合され、整流回路と、出力負荷に基づいて抵抗値が変化する抵抗体と、平滑回路を接続する非検出ライン二次側コイルと、前記トランスを介して前記一次側コイルと結合され、整流回路と、平滑回路とを接続する検出ライン二次側コイルと、前記検出ライン二次側コイルの前記平滑回路の出力電圧を検出するエラーアンプとを有し、前記一次側コイルは、前記エラーアンプが検出する前記検出ライン二次側コイルの前記平滑回路の出力電圧に基づいて、前記スイッチング素子によりスイッチング制御されることを特徴とするスイッチング電源回路を提供する。
【０００８】
上記した構成によれば、非検出ラインに接続された機器の負荷に応じて可飽和リアクトルが流れる電流を調整するため、検出ラインに接続された機器の負荷が変動し、エラーアンプによって一次側コイルからの供給電力が変動しても、非検出ラインの出力電圧を安定化することができる。
【０００９】
（２）また、本発明は上記目的を達成するため、スイッチング素子によりスイッチング制御される一次側コイルと、トランスを介して前記一次側コイルと結合され、整流回路と、平滑回路とを接続する非検出ライン二次側コイルと、前記トランスを介して前記一次側コイルと結合され、整流回路と、出力負荷に基づいて抵抗値が変化する抵抗体と、平滑回路を接続する検出ライン二次側コイルと、前記検出ライン二次側コイルの前記平滑回路の出力電圧を検出するエラーアンプとを有し、前記一次側コイルは、前記エラーアンプが検出する前記検出ライン二次側コイルの前記平滑回路の出力電圧に基づいて、前記スイッチング素子によりスイッチング制御されることを特徴とするスイッチング電源回路を提供する。
【００１０】
上記した構成によれば、検出ラインに接続された機器の負荷が変動し、エラーアンプによって一次側コイルからの供給電力が変動しても、可飽和リアクトルに流れる電流に応じたインピーダンスによって、非検出ラインに電圧が上乗せされるため、非検出ラインの出力電圧を安定化することができる。
【００１１】
（３）また、本発明は上記目的を達成するため、スイッチング素子によりスイッチング制御される一次側コイルと、トランスを介して前記一次側コイルと結合され、整流回路と、出力負荷に基づいて抵抗値が変化する抵抗体と、平滑回路を接続する非検出ライン二次側コイルと、前記トランスを介して前記一次側コイルと結合され、整流回路と、出力負荷に基づいて抵抗値が変化する抵抗体と、平滑回路とを接続する検出ライン二次側コイルと、前記検出ライン二次側コイルの前記平滑回路の出力電圧を検出するエラーアンプとを有し、前記一次側コイルは、前記エラーアンプが検出する前記検出ライン二次側コイルの前記平滑回路の出力電圧に基づいて、前記スイッチング素子によりスイッチング制御されることを特徴とするスイッチング電源回路を提供する。
【００１２】
上記した構成によれば、（１）および（２）の効果を同時に達成することができる。
【発明の効果】
【００１３】
本発明によれば、簡潔な構成でスイッチング電源回路の複数の二次側コイルの出力電圧を安定化することができる。
【発明を実施するための最良の形態】
【００１４】
以下に、本発明の実施の形態を、図面を参照して詳細に説明する。
【００１５】
〔第１の実施の形態〕
（構  成）
図１は、本発明の第１の実施の形態に関する電子機器としてのデジタルテレビの外観を示す概略斜視図である。
【００１６】
このデジタルテレビ１００は、チューナ、オーディオアンプ、信号処理部やスイッチング電源回路等の電子装置を格納する本体１００Ａと、ＬＣＤ（Liquid Crystal Display）からなる表示部１２０と、音声を出力するスピーカ１１０とを有する。デジタルテレビ１００は、図示しないプラグを介して外部から電力を取得し、図示しないアンテナを介して地上デジタル放送波を受信して、受信した地上デジタル放送波の信号を信号処理部でデコードすることにより映像信号および音声信号を出力する。表示部１２０は、デコードされた映像信号を処理して映像を表示する。スピーカ１１０は、デコードされた音声信号を処理して音声を出力する。
【００１７】
図２は、本発明の第１の実施の形態に関するデジタルテレビの構成を示すブロック図である。
【００１８】
図２は、本発明によるスイッチング電源回路１を放送受信装置としてのデジタルテレビに適用した場合の、デジタルテレビ全体の構成を示すブロック図である。
【００１９】
コンセントからプラグ１２５へ供給された電力は、本発明のスイッチング電源回路１の一次側へ供給され、二次側で得られた電圧が各ブロックへ供給される。
【００２０】
デジタルテレビ１００は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ１１７から送信され受光部１１８を介して受信される操作信号に応じて、ＲＯＭ１５７に予め記憶されたシステム制御プログラム及び各種処理プログラムを起動させる。制御部１５６は、起動したプログラムに従って、ＲＡＭ１５８をワークメモリとして装置各部の動作を制御する。各部の動作制御に必要な各種の設定情報及び制御情報等は、不揮発性メモリ１５９に格納される。
【００２１】
リモートコントローラ１１７には、電源キー、入力切換キー、衛星デジタル放送チャンネルのダイレクト選局キー、地上波放送チャンネルのダイレクト選局キー、クイックキー、カーソルキー、決定キー、番組表キー、ページ切換キー、チャンネルアップダウンキー、音量調整キー等の操作スイッチが設けられている。
【００２２】
ＢＳ／ＣＳデジタル放送受信用のアンテナ１４３は、衛星デジタルテレビジョン放送信号を受信する。受信されたデジタル放送信号は、入力端子１４４を介して衛星デジタル放送用のチューナ１４５に供給される。チューナ１４５は、受信したデジタル放送信号のチューニングを行い、チューニングしたデジタル放送信号をＰＳＫ（Phase Shift Keying）復調器１４６に送信する。ＰＳＫ復調器１４６はデジタル放送信号の復調を行い、復調したデジタル放送信号を信号処理部１４７に出力する。
【００２３】
地上デジタル放送受信用のアンテナ１４８は、地上デジタルテレビジョン放送信号を受信する。受信されたデジタル放送信号は、入力端子１４９を介して地上デジタル放送用のチューナ１５０に供給される。チューナ１５０は、受信したデジタル放送信号のチューニングを行い、チューニングしたデジタル放送信号をＯＦＤＭ（Orthogonal Frequency Division Multiplexing）復調器１５１に送信する。ＯＦＤＭ復調器１５１はデジタル放送信号の復調を行い、復調したデジタル放送信号を上記信号処理部１４７に出力する。
【００２４】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１４７に出力する。
【００２５】
信号処理部１４７は、ＰＳＫ復調器１４６およびＯＦＤＭ復調器１５１から出力されたデジタル放送信号に、適切なデジタル信号処理を施す。デジタル放送信号は、データ信号、映像信号及び音声信号に分離される。分離された映像信号はグラフィック処理部１５２に、音声信号は音声処理部１５３に出力される。信号処理部１４７は、アナログ復調器１６９から出力された放送信号を、所定のフォーマットのデジタルの映像信号及び音声信号に変換する。デジタルに変換された映像信号はグラフィック処理部１５２に、音声信号は音声処理部１５３に出力される。また信号処理部１４７は、ライン入力端子１２６からの入力信号にも所定のデジタル信号処理を施す。
【００２６】
ＯＳＤ（On Screen Display）信号生成部１５４は、制御部１５６の制御に従って、ＵＩ（ユーザ・インタフェース）画面などを表示するためのＯＳＤ信号を生成する。また上述の信号処理部１４７において、デジタル放送信号から分離されたデータ信号は、ＯＳＤ（On Screen Display）信号生成部１５４により適切なフォーマットのＯＳＤ信号に変換され、グラフィック処理部１５２に出力される。
【００２７】
グラフィック処理部１５２は、信号処理部１４７から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。また、映像信号及びＯＳＤ信号がそれぞれ画面の半分を構成するように組み合わせて出力することもできる。
【００２８】
映像処理部１５５は、グラフィック処理部１５２から入力された信号を、表示部１２０で表示可能なフォーマットのアナログ映像信号に変換する。アナログに変換された映像信号は、表示部１２０に出力され、表示される。
【００２９】
音声処理部１５３は、入力された音声信号を、スピーカ１１０で再生可能なフォーマットのアナログ音声信号に変換する。アナログに変換された音声信号は、スピーカ１１０に出力されて再生される。
【００３０】
カードホルダ１６１は、カードＩ／Ｆ（Interface）１６０を介して制御部１５６に接続されている。第１のメモリーカード１１９Ａは、このカードＩ／Ｆ１６０に装着可能である。第１のメモリーカード１１９Ａは、例えばＳＤ（Secure Digital）メモリカード、ＭＭＣ（Multimedia Card）及びメモリスティック等の記憶媒体である。カードホルダ１６１に装着された第１のメモリーカード１１９Ａ、及び制御部１５６は、カードＩ／Ｆ１６０を介して情報の伝達を行うことができる。制御部１５６は、第１のメモリーカード１１９Ａに、画像や音楽、放送番組等のデータを格納することができる。また制御部１５６は、第１のメモリーカード１１９Ａに格納された画像や音楽、放送番組等のデータを読み出して、表示部１２０に表示させたり、スピーカ１１０から音声出力させたりすることができる。
【００３１】
カードホルダ１６３は、カードＩ／Ｆ１６２を介して制御部１５６に接続されている。第２のメモリーカード１１９Ｂは、このカードＩ／Ｆ１６２に装着可能である。第２のメモリーカード１１９Ｂは、例えば放送受信契約の契約情報等を記憶する記憶媒体である。カードホルダ１６３に装着された第２のメモリーカード１１９Ｂ、及び制御部１５６は、カードＩ／Ｆ１６０を介して情報の伝達を行うことができる。
【００３２】
第１のＬＡＮ端子１２１は、通信Ｉ／Ｆ１６４を介して制御部１５６に接続されている。第１のＬＡＮ端子１２１は、イーサネット（登録商標）を用いたＬＡＮ対応ＨＤＤ専用ポートとして使用される。第１のＬＡＮ端子１２１にＬＡＮ対応のＨＤＤがＮＡＳ（Network Attached Storage）として接続された場合、当該ＨＤＤ及び制御部１５６は、通信Ｉ／Ｆ１６４を介して、情報の伝達を行うことができる。この場合、制御部１５６は、ＤＨＣＰ（Dynamic Host Configuration Protocol）サーバとして機能し、第１のＬＡＮ端子１２１に接続された当該ＬＡＮ対応のＨＤＤにＩＰ（Internet Protocol）アドレスを割り当てて制御している。
【００３３】
制御部１５６は、当該ＨＤＤに画像や音楽、放送番組等のデータを格納することできる。また制御部１５６は、当該ＨＤＤに格納された画像や音楽、放送番組等のデータを読み出して、表示部１２０に表示させたり、スピーカ１１０から音声出力させたりすることができる。ＬＡＮ対応ＨＤＤ専用ポートとしての第１のＬＡＮ端子１２１を設けることにより、他のネットワーク環境やネットワーク使用状況等に影響されることなく、当該ＨＤＤに対してハイビジョン画質による番組の情報記録を安定して行うことが可能となる。
【００３４】
第２のＬＡＮ端子１２２は、通信Ｉ／Ｆ１６５を介して制御部１５６に接続されている。第２のＬＡＮ端子１２２は、イーサネット（登録商標）を用いた一般的なＬＡＮ対応ポートとして使用される。この第２のＬＡＮ端子１２２には、例えばハブを用いて、ＬＡＮ対応のＨＤＤ、ＰＣ（Personal Computer）、ＨＤＤ内蔵のＤＶＤ（Digital Versatile Disk）レコーダ等の機器が接続される。第２のＬＡＮ端子１２２に接続された機器及び制御部１５６は、通信Ｉ／Ｆ１６５を介して情報の伝達を行うことができる。第２のＬＡＮ端子１２２にハブを介してブロードバンドルータが接続されている場合、制御部１５６は、当該ブロードバンドルータを介して例えばインターネット等のネットワークに接続することができる。このネットワークにはＰＣや携帯電話等が接続され、デジタルテレビ１００との間で情報の伝達を行うことができる。
【００３５】
通信Ｉ／Ｆ１６５を介して制御部１５６に接続されるＨＤＤ、ＰＣ、ＤＶＤレコーダ等の機器には、ハードディスクやＤＶＤ（光ディスク）等の記憶媒体を装着することが可能である。制御部１５６は、当該記憶媒体に、ハブ及び当該ハブに接続される機器を介して画像や音楽、放送番組等のデータを格納することができる。また制御部１５６は、当該記憶媒体に格納された画像や音楽、放送番組等のデータを読み出して、表示部１２０に表示させたり、スピーカ１１０から音声出力させたりすることができる。
【００３６】
ＵＳＢ（Universal Serial Bus）端子１２３は、ＵＳＢ Ｉ／Ｆ１６６を介して制御部１５６に接続されている。ＵＳＢ端子１２３は、一般的なＵＳＢ対応ポートとして使用される。ＵＳＢ端子１２３には、例えばハブを介して、携帯電話、デジタルカメラ、メモリカードに対するカードリーダ／ライタ、ＨＤＤ、キーボード等が接続される。制御部１５６は、ＵＳＢ端子１２３を介して接続される機器との間で、情報の伝達を行うことができる。
【００３７】
ｉ．Link端子１２４は、ｉ．Link Ｉ／Ｆ１６７を介して制御部１５６に接続されている。ｉ．Link端子１２４には、例えばＡＶ−ＨＤＤ、Ｄ（Digital）−ＶＨＳ（Video Home System）等がシリアル接続される。制御部１５６は、ｉ．Link端子１２４及びｉ．Link Ｉ／Ｆ１６７を介して接続される機器との間で、情報の伝達を行うことができる。
【００３８】
図３は、本発明の第１の実施の形態に関するスイッチング電源回路の構成を示す概略回路図である。
【００３９】
スイッチング電源回路１は、コンバータトランス５０を有し、その一次側にプラグ１２５を介して図示しない交流電源から供給される電流を整流するダイオードブリッジ３０と、平滑回路としてのコンデンサ３１と、巻数ｎ３を有するコイル３２と、コイル３２に流れる電流を制御するスイッチングトランジスタ３３と、スイッチングトランジスタ３３をスイッチング制御するコントローラ３４とを有する。
【００４０】
また、スイッチング電源回路１は、コンバータトランス５０の二次側に巻数ｎ１のコイル１０と、整流回路としてのダイオード１１と、平滑回路としてのコンデンサ１２とを有し、端子１０ａと端子１０ｂとの間に検出ライン出力電圧Ｖｏ１を出力する。また、巻数ｎ２のコイル２０と、整流回路としてのダイオード２１と、ダイオード２１に直列に接続された可飽和リアクトル２３と、平滑回路としてのコンデンサ２２とを有し、端子２０ａと端子２０ｂとの間に非検出ライン出力電圧Ｖｏ２を出力する。
【００４１】
また、スイッチング電源回路１は、検出ライン出力電圧Ｖｏ１を検出してフィードバック信号を出力するエラーアンプ４０と、コンバータトランス５０の一次側と二次側を絶縁するためのフォトカプラ４１とを有する。コントローラ３４は、エラーアンプ４０のフィードバック信号に基づいてスイッチングトランジスタ３３を制御する。
【００４２】
スイッチング電源回路１は、デジタルテレビ１００の各部の動作電圧に応じた電圧で電力を供給するが、図３、図４および図５においては、一例として、検出ライン出力電圧Ｖｏ１は、表示部１２０に供給され、非検出ライン出力電圧Ｖｏ２は、チューナ１４５に供給されるものとする。
【００４３】
（動  作）
以下に、本発明の第１の実施の形態におけるデジタルテレビおよびスイッチング電源回路の動作を各図を参照しつつ説明する。
【００４４】
デジタルテレビ１００は、プラグ１２５を図示しない外部コンセントに挿入することで、外部コンセントから交流電源が供給され、スイッチング電源回路１は、デジタルテレビ１００の各部の動作電圧に応じた電圧で電力を供給する。スイッチング電源回路１は、複数の二次側出力を有するが、ここでは一例として、表示部１２０に検出ライン出力電圧Ｖｏ１で電力を供給し、チューナ１４５に非検出ライン出力電圧Ｖｏ２で電力を供給する。
【００４５】
スイッチング電源回路１のダイオードブリッジ３０は、外部コンセントからプラグ１２５を介して供給される交流電源の電流を整流して出力する。コンデンサ３１は、ダイオードブリッジ３０が整流した電流を平滑して出力する。スイッチングトランジスタ３３、およびコントローラ３４は、スイッチング周波数、ＯＮデューティおよびＯＦＦデューティを変化させてコイル３２に供給する電流を制御する。
【００４６】
コンバータトランス５０を介することで、コイル３２の電圧が変圧され、コイルの巻数ｎ１、ｎ２、およびｎ３の比率に応じて、コイル１０、およびコイル２０に電圧が生じる。
【００４７】
コイル１０から供給される電流はダイオード１１で整流され、コンデンサ１２で平滑されて、端子１０ａと端子１０ｂの間に検出ライン出力電圧Ｖｏ１が生じる。
【００４８】
エラーアンプ４０は、検出ライン出力電圧Ｖｏ１を検出し、検出ライン出力電圧Ｖｏ１が予め定めた値より大きい場合、フィードバック信号を増加し、フォトカプラ４１を介してコントローラ３４に送信する。コントローラ３４は、フィードバック信号が増加すると、スイッチング周波数を増加させ、ＯＮデューティの割合を増加してコイル３２に供給される電力を減少させて、検出ライン出力電圧Ｖｏ１を低下させる。
【００４９】
また、エラーアンプ４０は、検出ライン出力電圧Ｖｏ１が予め定めた値より小さい場合、フィードバック信号を減少し、フォトカプラ４１を介してコントローラ３４に送信する。コントローラ３４は、フィードバック信号が減少すると、スイッチング周波数を減少させ、ＯＮデューティの割合を減少してコイル３２に供給される電力を増加させて、検出ライン出力電圧Ｖｏ１を増加させる。
【００５０】
コイル２０から供給される電流はダイオード２１で整流され、可飽和リアクトル２３で電流値に応じたリアクタンスを生じて、コンデンサ２２で平滑される。これにより、端子２０ａと端子２０ｂの間に非検出ライン出力電圧Ｖｏ２を生じる。
【００５１】
可飽和リアクトル２３は、可飽和リアクトル２３を流れる電流値が小さい場合、つまり飽和していない場合は、リアクタンスが生じて、非検出ライン出力電圧Ｖｏ２に生じる電圧を抑制する。つまり、コイル２０に供給される電力に比べて非検出ラインに接続された機器の負荷が小さい場合は、Ｖｏ２が大きくなりすぎることを防止する。なお、リアクタンスの値は、スイッチング周波数が数十ｋＨｚとして、負荷が大きい場合に電流を抑制するのに有効な値を選定する。
【００５２】
また、可飽和リアクトル２３は、可飽和リアクトル２３を流れる電流値が大きい場合、つまり飽和している場合は、リアクタンスが生じず、非検出ライン出力電圧Ｖｏ２に生じる電圧を抑制しない。つまり、コイル２０に供給される電力に比べて非検出ラインに接続された機器の負荷が大きい場合は、可飽和リアクトル２３が接続されていない状態と同様に機能する。
【００５３】
（第１の実施の形態の効果）
上記した第１の実施の形態によると、非検出ラインに接続された機器の負荷に応じてコイル２０からコンデンサ２２に供給する電流を可飽和リアクトル２３で調整するようにしたため、検出ラインに接続された機器の負荷によって検出ライン出力電圧Ｖｏ１が変動し、検出ライン出力電圧Ｖｏ１を検出したエラーアンプ４０のフィードバック信号に応じてコイル３２からコイル２０へ供給される電力が変動した場合でも、非検出ライン出力電圧Ｖｏ２を安定化することができる。
【００５４】
なお、可飽和リアクトルの代わりに、電流値が大きくなる程発熱し、抵抗値が下がる性質を有するサーミスタを用いても同様の効果を得ることができる。
【００５５】
〔第２の実施の形態〕
（構  成）
図４は、本発明の第２の実施の形態に関するスイッチング電源回路の構成を示す概略回路図である。なお、以下の説明において、第１の実施の形態と同一の構成および機能を有する部分については共通の符号を付している。
【００５６】
スイッチング電源回路１は、コンバータトランス５０の二次側に巻数ｎ１のコイル１０と、整流回路としてのダイオード１１と、ダイオード１１に直列に接続された可飽和リアクトル１３と、平滑回路としてのコンデンサ１２とを有し、端子１０ａと端子１０ｂとの間に検出ライン出力電圧Ｖｏ１を出力する。また、巻数ｎ２のコイル２０と、整流回路としてのダイオード２１と、平滑回路としてのコンデンサ２２とを有し、端子２０ａと端子２０ｂとの間に非検出ライン出力電圧Ｖｏ２を出力する。
【００５７】
（動  作）
以下に、本発明の第２の実施の形態におけるデジタルテレビおよびスイッチング電源回路の動作を各図を参照しつつ説明する。
【００５８】
コイル１０から供給される電流はダイオード１１で整流され、可飽和リアクトル１３で電流値に応じたリアクタンスを生じて、コンデンサ１２で平滑される。これにより、端子１０ａと端子１０ｂの間に検出ライン出力電圧Ｖｏ１を生じる。
【００５９】
コイル２０に供給される電力に比べて、検出ラインに接続された機器の負荷が小さい場合、検出ライン出力電圧Ｖｏ１が大きくなりすぎることを防止するために、エラーアンプ４０がフィードバック信号を増加させ、コイル３２から供給する電力を減少させる。一方、可飽和リアクトル１３は、可飽和リアクトル１３を流れる電流値が小さい場合、リアクタンスを生じて、インピーダンスＺを生じる。非検出ライン出力電圧Ｖｏ２は、可飽和リアクトル１３にインピーダンスＺが発生するために、可飽和リアクトル１３に流れる電流をＩ１とすると、次式で与えられる増加電圧ΔＶｏ２だけ増加する。増加電圧ΔＶｏ２は、
ΔＶｏ２＝Ｉ１Ｚ×ｎ２／ｎ１……（１）
となる。なお、リアクタンスの値は、スイッチング周波数が数十ｋＨｚとして、負荷が大きい場合にΔＶｏ２が有効となる値を選定する。
【００６０】
また、可飽和リアクトル１３は、飽和している場合、つまり可飽和リアクトル１３を流れる電流値が大きい場合、リアクタンスが生じず、検出ライン出力電圧Ｖｏ１に生じる電圧を抑制しない。つまり、検出ラインに接続された機器の負荷が大きい場合は、可飽和リアクトル１３が接続されていない状態と同様に機能する。
【００６１】
（第２の実施の形態の効果）
上記した第２の実施の形態によると、スイッチング電源回路１は、検出ラインに接続された機器の負荷に応じてコイル１０からコンデンサ１２に供給される電力をエラーアンプ４０のフィードバック信号によって調整するが、同時に、可飽和リアクトル１３を流れる電流に比例して非検出ライン出力電圧Ｖｏ２の電圧が増加する。その結果、検出ラインに接続される機器の負荷が小さくなった場合にも、可飽和リアクトル１３にインピーダンスが発生することで、フィードバックによりコイル２０で減少した電圧に、可飽和リアクトル１３のインピーダンス発生分の電圧が加算され、非検出ライン出力電圧Ｖｏ２を従来より安定化することができる。
【００６２】
〔第３の実施の形態〕
（構  成）
図５は、本発明の第３の実施の形態に関するスイッチング電源回路の構成を示す概略回路図である。
【００６３】
スイッチング電源回路１は、コンバータトランス５０の二次側に巻数ｎ１のコイル１０と、整流回路としてのダイオード１１と、ダイオード１１に直列に接続された可飽和リアクトル１３と、平滑回路としてのコンデンサ１２とを有し、端子１０ａと端子１０ｂとの間に検出ライン出力電圧Ｖｏ１を出力する。また、巻数ｎ２のコイル２０と、整流回路としてのダイオード２１と、ダイオード２１に直列に接続された可飽和リアクトル２３と、平滑回路としてのコンデンサ２２とを有し、端子２０ａと端子２０ｂとの間に非検出ライン出力電圧Ｖｏ２を出力する。
【００６４】
（第３の実施の形態の効果）
上記した第３の実施の形態によると、第１の実施の形態および第２の実施の形態における効果を同時に得られるため、非検出ライン出力電圧Ｖｏ２を従来より安定化することができる。
【００６５】
なお、本発明の第１〜第３の実施の形態において、非検出ラインは１つとしたが、同様の構成の非検出ラインを複数設けても、それぞれの非検出ラインについて同様の効果を得ることができる。
【図面の簡単な説明】
【００６６】
【図１】本発明の第１の実施の形態に関する電子機器としてのデジタルテレビの外観を示す概略斜視図である。
【図２】本発明の第１の実施の形態に関するデジタルテレビの構成を示すブロック図である。
【図３】本発明の第１の実施の形態に関するスイッチング電源回路の構成を示す概略回路図である。
【図４】本発明の第２の実施の形態に関するスイッチング電源回路の構成を示す概略回路図である。
【図５】本発明の第３の実施の形態に関するスイッチング電源回路の構成を示す概略回路図である。
【符号の説明】
【００６７】
１…スイッチング電源回路、１０…コイル、１０ａ…端子、１０ｂ…端子、１１…ダイオード、１２…コンデンサ、１３…可飽和リアクトル、２０…コイル、２０ａ…端子、２０ｂ…端子、２１…ダイオード、２２…コンデンサ、２３…可飽和リアクトル、３０…ダイオードブリッジ、３１…コンデンサ、３２…コイル、３３…スイッチングトランジスタ、３４…コントローラ、４０…エラーアンプ、４１…フォトカプラ、５０…コンバータトランス、１００…デジタルテレビ、１００Ａ…本体、１１０…スピーカ、１１６…操作部、１１７…リモートコントローラ、１１８…受光部、１１９Ａ…第１のメモリーカード、１１９Ｂ…第２のメモリーカード、１２０…表示部、１２１…第１のＬＡＮ端子、１２２…第２のＬＡＮ端子、１２３…ＵＳＢ端子、１２４…ｉ．Link端子、１２５…プラグ、１２６…ライン入力端子、１４３…アンテナ、１４４…入力端子、１４５…チューナ、１４６…ＰＳＫ復調器、１４７…信号処理部、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１５９…不揮発性メモリ、１６０…カードＩ／Ｆ、１６１…カードホルダ、１６２…カードＩ／Ｆ、１６３…カードホルダ、１６４…通信Ｉ／Ｆ、１６５…通信Ｉ／Ｆ、１６６…ＵＳＢ Ｉ／Ｆ、１６７…ｉ．Link Ｉ／Ｆ、１６８…アナログチューナ、１６９…アナログ復調器、ｎ１…巻数、ｎ２…巻数、ｎ３…巻数、Ｖｏ１…検出ライン出力電圧、Ｖｏ２…非検出ライン出力電圧
【図１】
2009011080.tif 000003
【図２】
2009011080.tif 000004
【図３】
2009011080.tif 000005
【図４】
2009011080.tif 000006
【図５】
2009011080.tif 000007